(57)【要約】【課題】折畳んで収納でき、かつ足踏み角度を調整でき、生産コストを低減できる足踏み式健康器を提供する。【解決手段】支持台１と、調整部材と、位置調整具３とを含む。支持台１は、二つの支持枠１１を含み、二つの枢着具１２により二つの支持枠１１が互いに枢転可能であり、各支持枠１１の一端には支持効果を有する支持具１３が設けられている。調整部材は、摺動枠２４と連動ローラと連動ロープ２２とを含み、各摺動枠２４は各支持枠１１に移動自在に設けられ、各摺動枠２４にペダル２５が設けられている。位置調整具３は、それぞれ二つの支持枠１１と連接し、二つの支持枠１１の枢転可能な角度を調整可能である。各摺動枠２４のペダル２５と枢着している箇所から遠ざかった底面には調整器２６がそれぞれ設けられている。【選択図】図１
0003135412.tif 000002
【実用新案登録請求の範囲】
【請求項１】
支持台と、調整部材と、位置調整具とを備える足踏み式健康器において、
前記支持台は互いに対称な二つの支持枠を有し、二つの枢着具により二つの前記支持枠が互いに枢転可能であり、各支持枠の枢着箇所から遠ざかった一端には支持効果を有する支持具が設けられ、
前記調整部材は摺動枠と、連動ローラと、連動ロープとを含み、各前記摺動枠はそれに対応する各支持枠に移動自在に設けられ、各前記摺動枠にはペダルが設けられ、
前記位置調整具は長さを調整して固定可能であり、前記位置調整具はそれぞれ二つの支持枠と連接し、前記位置調整具により二つの前記支持枠の枢転可能な角度が規制され、二つの前記支持枠の枢転可能な角度を調整可能であり、
前記連動ローラは二つの前記枢着具の枢着箇所に枢着され、前記連動ロープは前記連動ローラに巻き付けられ、両端が前記摺動枠にそれぞれ連接され、各前記摺動枠の表面が前記ペダルにそれぞれ枢着され、各前記摺動枠のペダルと枢着している箇所から遠ざかった底面にはペダルの傾斜度を調整可能にするための調整器がそれぞれ設けてあり、前記調整器は前記摺動枠に枢着されるねじ軸と、前記ねじ軸にねじ込み可能な調整子とを有し、
前記連動ローラのサイドには前記連動ローラの回転の抵抗を調節するための調節具が設けてあり、前記調節具はツマミと少なくとも一つの摩擦片とを含み、前記摩擦片が前記連動ローラの一側に設けられ、前記ツマミが前記連動ローラの摩擦片を有する側に締付けられていることを特徴とする足踏み式健康器。
【考案の詳細な説明】
【技術分野】
【０００１】
本考案は、足踏み式健康器に係り、特に、折畳んで収納可能であり、足踏み角度を調整可能であり、且つ生産コストを低減可能である足踏み式健康器に関するものである。
【背景技術】
【０００２】
従来の足踏み式健康器は、図７に示すように、一つの台座６と、本体に設けられる二つのペダル６１とを含み、前記二つのペダル６１は互いに平行しており、その前端には前記台座６と枢着するための枢着部６１１が設けてあり、なお、その後端と前記台座６との間にはエアスプリング６２が組付けてある。
従来の足踏み式健康器の使用方法は、まず、ユーザは二つの足で二つのペダル６１をそれぞれ踏み付けて、左右の足の繰り返しの上下移動に従って、そのうちの何れか一つのペダル６１が外力を受けて下へ揺動するときには、他のペダル６１が上へ揺動するようになり、これにより、足踏み運動をすることができる。
【０００３】
このような足踏み式健康器は、運動効果が良好であるが、体積が大きく、且つ折畳んで収納不可能であり、輸送するときにはスペースがかなり必要なので、運輸コストが増加する欠点がある。
図８に示すのは、別の従来の左右足踏み式健康器である。その構造は、台座７に二つのペダル７１を組付け、前記二つのペダル７１は揺動アーム７２を介して前記台座７と連接し、前記揺動アーム７２は前記台座７の中央にある枢着台７３に枢着される。
【０００４】
このような左右足踏み式健康器の使用方法は以下である。ユーザは両足で二つのペダル７１を交互に踏み付け、左右の足の繰り返しの上下移動により、足踏み運動の効果を得ることができる。
このような左右足踏み式健康器は、上記の足踏み式健康器と同じように、体積が大きく、且つ折畳んで収納不可能であり、足踏み式健康器を運輸するときには、スペースがかなり必要なので、運輸コストが増加するという欠点がある。
上記の二種類の足踏み式健康器は、ペダルを回復させる装置に油圧装置や気圧装置を採用するので、生産コストが高い。
【考案の開示】
【考案が解決しようとする課題】
【０００５】
本考案の主な目的は、折畳んで収納可能であり、足踏み角度を調整可能であり、且つ生産コストを低減可能である足踏み式健康器を提供することにある。
【課題を解決するための手段】
【０００６】
上記目的を達成するためになされた本考案は、支持台と、調整部材と、位置調整具とを含む足踏み式健康器において、前記支持台は互いに対称な二つの支持枠を有する。二つの枢着具により前記二つの支持枠が互いに枢転可能であり、且つ各支持枠の枢着箇所から遠ざかった一端には支持効果を有する支持具が設けてある。前記調整部材は摺動枠と、連動ローラと、連動ロープとを有し、前記各摺動枠はそれに対応する各支持枠に移動自在に設けられる。
【０００７】
前記各摺動枠にペダルが設けてあり、前記位置調整具はそれぞれ二つの支持枠と連接し、前記位置調整具により前記二つの支持枠の枢転可能の角度が規制され、且つ前記二つの支持枠の枢転可能の角度を調整することもできる。前記位置調整具は長さを調整して固定可能であり、前記連動ローラは前記二つの枢着具の枢着箇所に枢着され、前記連動ロープは前記連動ローラに巻き付けられ、その両端が前記摺動枠にそれぞれ連接される。前記各摺動枠の表面が前記ペダルにそれぞれ枢着され、且つ前記各摺動枠のペダルと枢着している箇所から遠ざかった底面にはペダルの傾斜度を調整可能にするための調整器がそれぞれ設けてある。
【０００８】
前記調整器は前記摺動枠に枢着されるねじ軸と、前記ねじ軸にねじ込み可能の調整子とを含み、前記連動ローラのサイドには前記連動ローラの回転の抵抗を調節するための調節具が設けてある。前記調節具はツマミと、少なくとも一つの摩擦片とを有し、前記摩擦片が前記連動ローラの一側に設けられ、前記ツマミが前記連動ローラの摩擦片を有する側に締付けられる。
（考案の効果）
【０００９】
本考案の足踏み式健康器によれば、折畳んで収納可能であり、足踏み角度を調整可能であり、且つ生産コストを低減可能である効果がある。
【考案を実施するための最良の形態】
【００１０】
以下、添付図面を参照して、本考案の好適な実施の形態を詳細に説明する。
まず、図１、図２および図３を参照する。本考案の一実施例による足踏み式健康器は、支持台１と、調整部材２と、位置調整具３とを含む。
前記支持台１は、互いに対称な二つの支持枠１１を含み、前記各支持枠１１は第一端１１１と第二端１１２とをそれぞれ有し、各対の支持枠の第一端１１１が二つの枢着具１２の第一端１２１とそれぞれ連接しており、前記支持枠１１を旋回可能にするために、前記支持枠１１が前記枢着具１２の第二端１２２に枢着され、且つ前記各支持枠１１の第二端１２２に支持具１３が連接している。
【００１１】
前記調整部材２は、連動ローラ２１と連動ロープ２２とを有し、前記連動ローラ２１は前記枢着具１２の第二端１２２に枢着され、前記枢着具１２に対して旋回可能である。なお、前記連動ロープ２２は前記連動ローラ２１に巻き付けられ、その両端が前記摺動枠２４にそれぞれ連接され、前記各支持枠１１に前記各摺動枠２４が摺動自在に設けられ、且つ前記各摺動枠２４にペダル２５が枢着し、摺動枠２４の底面に設けられた調整器２６により前記各ペダル２５の傾斜度が調整可能になる。
【００１２】
本実施例では、前記調整器２６はねじ軸２６１と調整子２６２から構成され、また、前記連動ローラ２１には調節具２３が設けられている。本実施例では、前記調節具２３は一つのツマミ２３１と少なくとも一つの摩擦片２３２とを含み、前記摩擦片２３２が前記連動ローラ２１の一側に設けられ、前記ツマミ２３１が前記連動ローラ２１の摩擦片２３２を有する側に締付けられている。前記ツマミ２３１を回動することにより、摩擦片２３２と連動ローラ２１との密着度を調整することができる。そうすると、摩擦片２３２と連動ローラ２１との摩擦力の大きさを調整可能で、前記連動ロープ２２の両端に連接された摺動枠２４の摺動力を調整することができ、運動効果が更に良くなる。
【００１３】
前記位置調整具３は、それぞれ二つの支持枠１３と連接し、前記位置調整具１３により前記二つの支持枠１３の枢転可能な角度が規制され、且つ前記二つの支持枠の枢転可能な角度を調整できる。
次に、図３を参照し本実施例の使用方法を詳細に説明する。まず、ユーザは両足で二つのペダル２５を交互に踏み付ける。例えば、左の足で先にペダル２５を踏み付けると、左のペダル２５が支持枠に沿って降下し、連動ロープ２２および連動ローラ２１が連動される。これにより、右のペダル２５に連接された連動ロープ２２が上に後退して、右のペダル２５が上昇するようになる。また、右の足で先にペダル２５を踏み付けると、右のペダル２５が支持枠に沿って降下し、連動ロープ２２および連動ローラ２１が連動される。これにより、左のペダル２５に連接された連動ロープ２２が上に後退して、左のペダル２５が上昇し、足踏みの運動効果を得ることができる。
【００１４】
図４に示すように、前記調節具２３のツマミ２３１をねじ込むと、摩擦片２３２と連動ローラ２１との摩擦力が増加し、連動ローラ２１が回転しにくくなる。前記調節具２３のツマミ２３１を緩めると、摩擦片２３２と連動ローラ２１との摩擦力が減少し、連動ローラ２１が回転し易くなる。前記調節具２３のツマミ２３１により、ユーザは個人の体力状況に合わせて連動ローラ２１の回転抵抗を適度に増加することができ（連動ロープ２２の両端が摺動枠２４にそれぞれ連接されているので、連動ローラ２１の回転抵抗を増加すると、摺動枠２４の支持枠１１を摺動する抵抗も増加し）、ユーザは運動量を増加することができる。
【００１５】
図５に示すように、本実施例の構造は、更に、二つの調整器２６と、一つの位置調整具３とを有し、これらの部材により、足踏み式健康器のペダルの傾斜度と摺動角度とを調整することができる。前記位置調整具３が短縮された場合には、足踏み式健康器のペダル２５の踏み角度がほぼ垂直で、二つのペダル２５が外側に傾斜している状態になり、ユーザは足踏み式健康器から倒れることがある。このとき、調整子２６２が下に降下するよう、調整器２６の調整子２６２を回転すると、摺動枠２４に枢着されているねじ軸２６１がペダル２５を押上げて、ペダル２５がほぼ水平状態になる。逆に、前記位置調整具３が延長された場合には、足踏み式健康器のペダル２５の踏み角度がほぼ水平であり、なお、二つのペダル２５が内側に傾斜している状態になる。
【００１６】
調整子２６２が上に上昇するよう、調整器２６の調整子２６２を回転すると、摺動枠２４に枢着されているねじ軸２６１がペダル２５を引き下げ、ペダル２５がほぼ水平状態になり、ユーザは足踏み式健康器によって安全に運動することができる。ユーザは、好みの踏み角度（各支持枠の枢転可能の角度）を調整可能であり、調整器２６によりペダル２５を心地良い傾斜度に調整可能であり（支持台の角度がどのようになっても、ペダルを水平状態に調整可能であり）、更に良い運動効果を得ることができると共に、運動傷害を防止することができる。
【００１７】
図６に示すように、本実施例の長所は、二つの支持具１３である。本実施例では、二つの支持具１３と支持枠１１とは締付方式により連接するので、本実施例を収納する場合には、本実施例の足踏み式健康器から前記支持具１３を取り外して、支持台１を湾折する。本実施例の足踏み式健康器の体積は減少するので収納が利便になり、運輸コストが低減可能になる。また、本実施例は、従来の気圧装置や油圧装置の代わりに調整部材２を使用するので、生産コストを低減する効果がある。
このように、本考案は特定の例を参照して説明されたが、それらの例は説明のためだけのものであり、本考案を限定するものではなく、この分野に通常の知識を有する者は、本考案の精神および範囲を逸脱することなく、ここで開示された実施例に変更、追加または削除を施してもよいことがわかる。
【図面の簡単な説明】
【００１８】
【図１】本考案の一実施例による足踏み式健康器を示す斜視図である。
【図２】本考案の一実施例による足踏み式健康器の一部を示す斜視図である。
【図３】本考案の一実施例による足踏み式健康器の使用状態を示す概略図である。
【図４】本考案の一実施例による足踏み式健康器の一部を示す斜視図である。
【図５】本考案の一実施例による足踏み式健康器の使用状態を示す概略図である。
【図６】本考案の一実施例による足踏み式健康器の収納可能な状態を示す概略図である。
【図７】従来の足踏み式健康器の構造を示す斜視図である。
【図８】従来の左右足踏み式健康器の構造を示す斜視図である。
【符号の説明】
【００１９】
１：支持台、２：調整部材、３：位置調整具、６：台座、７：台座、１１：支持枠、１２：枢着具、１３：支持具、２１：連動ローラ、２２：連動ロープ、２３：調節具、２４：摺動枠、２５：ペダル、２６：調整器、６１：ペダル、６２：エアスプリング、７１：ペダル、７２：揺動アーム、７３：枢着台、１１１：支持枠の第一端、１１２：支持枠の第二端、１２１：枢着具の第一端、１２２：枢着具の第二端、２１１：サイドローラ、２３１：ツマミ、２３２：摩擦片、２６１：ねじ軸、２６２：調整子、６１１：枢着部
【図１】
0003135412.tif 000003
【図２】
0003135412.tif 000004
【図３】
0003135412.tif 000005
【図４】
0003135412.tif 000006
【図５】
0003135412.tif 000007
【図６】
0003135412.tif 000008
【図７】
0003135412.tif 000009
【図８】
0003135412.tif 000010